(57)【要約】【課題】検体の個数やサイズが変わっても、自在に対応し得る医療検査用カセットを提供する。【解決手段】カセット本体１が全く区画されていない状態の容積最大の基本容器を区画して小室を２個形成するためには、カセット本体１の内周面の長辺側の中央に対向して設けられた２個の溝部１２に、パーティション１５が着脱自在に嵌合される。嵌合されたパーティション１５は検体が左右の小室１６に入れられた後、被着する蓋の下面に当接して固定される。これによって、検体が大きい場合には、容積最大の基本容器のまま利用することができると共に、検体が小さい場合や２個ある場合には、パーティション１５をカセット本体１に嵌合装着させて区画するように仕切り、同サイズの小室を２個形成したうえ、２個の検体を各小室に別々に収納することができる。【選択図】図４
2005010135.tif 000002
【特許請求の範囲】
【請求項１】
カセット本体と蓋とを具備してなり、前記カセット本体が上面を開放し、多数の透孔を有し、少なくとも１個のパーティションで仕切られた、検体を収容し得る小室を有する方形の容器からなり、前記蓋がカセット本体に着脱自在に取り付けられ、多数の透孔を有してなる医療検査用カセットにおいて、前記パーティションが仕切壁本体と少なくともその一端に、前記カセット本体の内周壁面に設けられた溝部に嵌合する嵌合部とからなることを特徴とする医療検査用カセット。
【請求項２】
仕切壁本体の両端に嵌合部が設けられている請求項１記載の医療検査用カセット。
【請求項３】
仕切壁本体の一端に嵌合部が設けられ、他端に支持部が設けられてなる請求項１記載の医療検査用カセット。
【請求項４】
カセット本体と蓋とを具備してなり、前記カセット本体が上面を開放し、多数の透孔を有し、少なくとも１個のパーティションで仕切られた、検体を収容し得る小室を有する方形の容器からなり、前記蓋がカセット本体に着脱自在に取り付けられ、多数の透孔を有してなる医療検査用カセットにおいて、前記パーティションが仕切壁本体と少なくともその一端に設けられた支持部とからなることを特徴とする医療検査用カセット。
【請求項５】
パーティションが、仕切壁本体に少なくとも１個の係合凹部を設けた２個のパーティションを、前記係合凹部を上下方向から十字状に係合させてなる請求項１〜４のいずれか１項に記載の医療検査用カセット。
【請求項６】
支持部のカセット本体と接する面が仕切壁本体に対して垂直方向±５度の範囲で偏位されている請求項２〜５のいずれか１項に記載の医療検査用カセット。
【請求項７】
支持部が板状体からなる請求項２〜６のいずれか１項に記載の医療検査用カセット。
【請求項８】
支持部が波形状の板状体からなる請求項７記載の医療検査用カセット。
【請求項９】
支持部が外側方向に湾曲した弧状の板状体からなる請求項７記載の医療検査用カセット。
【請求項１０】
仕切壁本体の両端に支持部が設けられている請求項３〜９のいずれか１項に記載の医療検査用カセット。
【請求項１１】
蓋及び／又はカセット本体が耐薬品性の透明材料からなる請求項１〜１０のいずれか１項に記載の医療検査用カセット。
【請求項１２】
透明材料がポリプロピレン樹脂である請求項１〜１１のいずれか１項に記載の医療検査用カセット。
【請求項１３】
透明材料がポリエステル樹脂である請求項１〜１１のいずれか１項に記載の医療検査用カセット。
【発明の詳細な説明】
【技術分野】
【０００１】
本発明は、医療検査用顕微鏡標本の作成に使用する医療検査用カセットに関し、更に詳しくは、大小、単数複数等の様々な検体に対応できる可動パーティションを備えた医療検査用カセットに関する。
【背景技術】
【０００２】
従来の医療検査用カセットとしては、例えば図３７、図３８に示すようなものが知られている（例えば、特許文献１参照）。図３７は医療検査用カセットの構成を示す断面図であり、図３８は前記カセットから蓋を取り外した状態のカセット本体の上面図である。図３７、３８に示したように、従来の医療検査用カセットは、耐薬品性合成樹脂からなるカセット本体１と蓋２とを具備してなる。
【０００３】
カセット本体１は、上面を開放した方形の容器で、底部に多数の透孔３を有し、短辺側の一側壁の外側に底部に向かって末広がり状に傾斜した板状の記録部４を有し、その内側に係止溝５を有し、他の側壁の外側に係止部６を有する。
【０００４】
一方、カセット本体１の上面に被着される蓋２は、着脱可能な板状体で、板面に多数の透孔７を有し、裏面の外周面に沿ってカセット本体１内に嵌合するリブ８と、後述する仕切壁１９を両側から挟着するリブ８とを有し、短辺側の一方側には係止溝５の記録部４の裏面に沿って嵌入係合する傾斜状係止片９を有し、短辺側の他方側にはカセット本体１よりも僅かに大きめの突縁部１０を有し、係止部６と係合する係止片１１を有している。
【０００５】
そして、カセット本体１の内部は、全く区画されてないものを基本容器とし、一体的に成形された仕切壁２５で区画される複数の小室（図では９室の例を示している）２６を備えている。実際の医療現場においては、仕切壁２５の無い基本容器のものから仕切壁２５によって区画された小室２５を有する医療検査用カセットの中から検体のサイズに適合したものを選択して利用される。
すなわち、カセット本体１に検体（図示せず）を入れるに際しては、大きい検体で個数が１個の場合には、カセット本体１に仕切壁２５の無い基本容器としてのカセットに入れられ、あるいは複数個の場合には仕切壁２５の比較的少ない大き目の小室を有するカセットに入れられ、また、小さい検体で個数が１個の場合には、仕切壁２５の無い基本容器としてのカセットに入れられ、あるいは複数個の場合には、仕切壁２５が比較的多く、小さ目の小室２６を備えたカセットに入れられる。
【特許文献１】特開２００１−３２４４２８公報
【発明の開示】
【発明が解決しようとする課題】
【０００６】
しかしながら、上記の如く、カセット本体を仕切壁で仕切って小室を形成するという仕切壁固定方式の医療検査用カセットにおいては、検体の個数やサイズに対応した大小さまざまな小室を１個又は複数個有する数種類のカセットを準備しておく必要があり、また、カセットの供給メーカーやユーザーにとっては、その生産や在庫の管理が面倒であるばかりでなく、運搬や保管のためのスペースも必要で、これらは全てコストアップの要因になっている。
【０００７】
また、パラフィンブロックを作製する工程において、検体を収容したトレイの段部にカセット本体を載せ、カセット本体が液状パラフィンに浸るまで液状パラフィンをカセット本体の上方から検体上に注ぎ足すが、この場合に、仕切壁が邪魔となって液状パラフィンの透過を妨げ、液状パラフィンの注ぎ足しの作業効率を低下させる。
【０００８】
更にまた、液状パラフィンが固化した後トレイを取り去ることにより、検体を包埋したパラフィンがカセット本体の底部に付着したパラフィンブロックが得られるが、このパラフィンブロックを収納ケース内に横向きに並べる場合に、やはり仕切壁が邪魔になってパラフィンブロックの頂部が仕切壁に当たり、収納効率を低下させることになる。
【０００９】
本発明は、上記諸課題に鑑み、検体の個数やサイズが変わっても、カセットは一種類か極めて少ない種類で対応することを可能とし、該カセットの生産や在庫管理を容易にするとともに、運搬や保管のためのスペースを最小にして、トータルコストの低減を図り、更に、パラフィン注ぎ足しの作業効率を向上させるとともにパラフィンブロックの収納効率を向上せしめることを主目的する。
【課題を解決するための手段】
【００１０】
上記目的を達成するために、本発明の請求項１は、カセット本体と蓋とを具備してなり、前記カセット本体が上面を開放し、多数の透孔を有し、少なくとも１個のパーティションで仕切られた、検体を収容し得る小室を有する方形の容器からなり、前記蓋がカセット本体に着脱自在に取り付けられ、多数の透孔を有してなる医療検査用カセットにおいて、前記パーティションが仕切壁本体と少なくともその一端に、前記カセット本体の内周壁面に設けられた溝部に嵌合する嵌合部とからなることを特徴とする医療検査用カセットを内容とする。
【００１１】
本発明の請求項２は、仕切壁本体の両端に嵌合部が設けられている請求項１記載の医療検査用カセットである。
【００１２】
本発明の請求項３は、仕切壁本体の一端に嵌合部が設けられ、他端に支持部が設けられてなる請求項１記載の医療検査用カセットである。
【００１３】
本発明の請求項４は、カセット本体と蓋とを具備してなり、前記カセット本体が上面を開放し、多数の透孔を有し、少なくとも１個のパーティションで仕切られた、検体を収容し得る小室を有する方形の容器からなり、前記蓋がカセット本体に着脱自在に取り付けられ、多数の透孔を有してなる医療検査用カセットにおいて、前記パーティションが仕切壁本体と少なくともその一端に設けられた支持部とからなることを特徴とする医療検査用カセットである。
【００１４】
本発明の請求項５は、パーティションが、仕切壁本体に少なくとも１個の係合凹部を設けた２個のパーティションを、前記係合凹部を上下方向から十字状に係合させてなる請求項１〜４のいずれか１項に記載の医療検査用カセットである。
【００１５】
本発明の請求項６は、支持部のカセット本体と接する面が仕切壁本体に対して垂直方向±５度の範囲で偏位されている請求項２〜５のいずれか１項に記載の医療検査用カセットである。
【００１６】
本発明の請求項７は、支持部が板状体からなる請求項２〜６のいずれか１項に記載の医療検査用カセットである。
【００１７】
本発明の請求項８は、支持部が波形状の板状体からなる請求項７記載の医療検査用カセットである。
【００１８】
本発明の請求項９は、支持部が外側方向に湾曲した弧状の板状体からなる請求項７記載の医療検査用カセットである。
【００１９】
本発明の請求項１０は、仕切壁本体の両端に支持部が設けられている請求項３〜９のいずれか１項に記載の医療検査用カセットである。
【００２０】
本発明の請求項１１は、蓋及び／又はカセット本体が耐薬品性の透明材料からなる請求項１〜１０のいずれか１項に記載の医療検査用カセットである。
【００２１】
本発明の請求項１２は、透明材料がポリプロピレン樹脂である請求項１〜１１のいずれか１項に記載の医療検査用カセットである。
【００２２】
本発明の請求項１３は、透明材料がポリエステル樹脂である請求項１〜１１のいずれか１項に記載の医療検査用カセットである。
【発明の効果】
【００２３】
本発明の医療検査用カセットは、内部に仕切りの無いカセット本体を容積最大の基本容器とし、この状態から検体の大きさや個数に応じて、複数の小室を形成するには、仕切壁本体と少なくともその一端に設けられた支持部とからなる少なくとも１個のパーティションを基本容器に嵌合装着するだけで可能になる。
【００２４】
また、パーティションは着脱自在に形成されているので、適宜取り外して組み替えれば、小室の数やその大きさを変更することができる。
【００２５】
また、支持部のカセット本体と接する面を、仕切壁本体に対して垂直方向±５度の範囲で偏位させることにより、該偏位分だけ変形させて仕切壁本体に対して略垂直状としてカセット本体内に取り付けることができる。そして、取り付けた後は変形させた偏位分が元の偏位状態に戻ろうとしてカセット本体の内壁を押圧することにより仕切壁本体はカセット本体内に圧入されるので、パーティションの不用意な移動が阻止される。
【００２６】
また、支持部はパーティションを安定的にカセット本体内に取り付けるためには、通常、板状体であることが好ましい。この場合は、上記した偏位の他、波形状としたり、外側方向（カセット本体の内壁方向）に湾曲させて弧状とすることにより、これらの形状に由来する弾性変形及び復元力を利用して、パーティションをカセット本体内に圧入し、パーティションの不用意な移動を阻止することができる。
【００２７】
また、支持部は、カセット本体の内周壁面に溝部を設けずにパーティションをカセット本体内に一層安定的に取り付けるという観点からは、仕切壁本体の両端に設けるのが好ましい。
【００２８】
また、パーティションの仕切壁本体には少なくとも１個の係合凹部を設け、少なくとも２個のパーティションを、係合凹部を上下方向から十字状に係合させた状態で基本容器に嵌合装着すれば、検体の大きさに応じて着脱可能に所望の数の小室を容易に形成することができる。
【００２９】
また、パラフィンブロック作製の工程において、パラフィンの透過を妨げるパーティションを取り外して実施できるので、パラフィンの注ぎ足しの作業効率が高められる。更に、得られたパラフィンブロックを収納ケース内に並べる場合に、パーティションを取り外すことにより、カセットブロックの一部がカセット本体内に重なり合うのでパーティションの厚みだけスペースを小さくでき、その結果、パラフィンブロックの収納効率が大巾に高められる。
【００３０】
また、カセット本体、蓋のいずれかが、又はその両方が透明材料で作成されることにより、カセット内部に収容した検体の状況（大きさ、個数、形状、色、カセット本体内での存在位置、濾紙とともに検体を収容した場合は、濾紙の位置、濾紙上の検体の方向等）を明確に視認することを可能となり、顕微鏡標本作成の効率化、確実化を図るとともに、精度の高い検査結果を得ることができる。
【発明を実施するための最良の形態】
【００３１】
本発明の医療検査用カセット及びパーティションの材質は、耐薬品性の合成樹脂や金属が好ましく、合成樹脂としては例えばポリアセタール、ポリアミド、ポリカーボネート、ポリエステル、ポリプロピレン等が挙げられ、また金属としてはステンレス等が挙げられる。更に、カセット本体を合成樹脂製とし、蓋を金属製とすることもでき、その逆も可能である。
【００３２】
また、カセット本体、蓋のいずれかが、又はその両方が透明材料で作成されることにより、蓋のみが透明材料からなる場合は蓋の外側から、また、カセット本体のみが透明材料からなる場合はカセット本体（側壁又は底部）の外側から、更に、カセット本体と蓋の両方が透明材料からなる場合は、カセット本体及び蓋の両方の外側から、内部の検体の状況を視認することができる。即ち、カセット内部に収容した検体の状況（大きさ、個数、形状、色、カセット本体内での存在位置、濾紙とともに検体を収容した場合は、濾紙の位置、濾紙上の検体の方向等）を明確に視認することを可能とし、もって、顕微鏡標本作成の効率化、確実化を図るとともに、精度の高い検査結果を得ることができる。勿論、パーティションも透明樹脂製とすることができる。
【００３３】
透明樹脂としては、例えば、ポリプロピレン樹脂、ポリエステル（特にＰＥＴ）樹脂が好適であり、とりわけ耐薬品性に優れ低コストという点からポリプロピレン樹脂が好適である。
【００３４】
本発明におけるパーティションは、仕切壁本体と少なくともその長手方向の一端に、カセット本体の内周壁面に設けられた溝部に嵌合する嵌合部、又はカセット本体の内周壁面と接してパーティションを安定的に支持するための支持部とからなる。カセット本体内周壁面に溝部を設ける必要がないという点では支持部が好ましく、更に、パーティションを安定的にカセット本体内に取り付けられるという点では、支持部を仕切壁本体の両端に設けるのが好ましい。支持部は、仕切壁本体のいずれか片側にＬ字状に設けてもよく、また両側にＴ字状に設けてもよいが、一般に、後者の方がパーティションを一層安定的に取り付けることができる。
【００３５】
支持部のカセット本体と接する面が、仕切壁本体に対して垂直方向±５度程度の範囲で偏位していることが好ましい。このように支持部を偏位させることにより、該偏位分だけ変形させて仕切壁本体に対して略垂直状としてカセット本体内に取り付ければ、取り付け後は変形させた偏位分が元の偏位状態に戻ろうとする弾発力、復元力でカセット本体の内壁を押圧し、仕切壁本体はカセット本体内に圧入され、パーティションの不用意な移動が阻止される。
【００３６】
嵌合部は仕切壁本体をカセット本体内周壁面に設けた溝部に嵌合して、例えば薬液処理の際の流抵抗に耐えれば特に制限されず、カセット本体のサイズにも依るが、例えば、３０ｍｍ×４０ｍｍ×５ｍｍ程度のカセットの場合は、カセット本体内周壁面の溝部に０．３〜１ｍｍ程度嵌合することにより目的は達成される。
支持部は仕切壁本体をカセット本体内で支持できれば特に制限されず、例えば、形状については、矩形、三角形、楕円形等のいずれでもよいが、特に板状体が好ましい。また、板状体は、上記した偏位の他、カセット本体内壁側に弧状に湾曲させたり、また波板状とすることにより、支持部の弾性変形及び復元力を利用して、パーティションをカセット本体内に圧入して取り付けることが可能となり、パーティションの不用意な移動を防ぐことができる。支持部もカセット本体のサイズにより、即ち、パーティションのサイズにより一概には決定されないが、例えば上記サイズのカセットの場合は、２〜５ｍｍ程度で目的は達成される。
【００３７】
パーティションは、仕切壁本体がカセット本体内を縦、横、斜等のいずれの方向にも仕切るように取り付けることができ、これにより略同サイズ又は異サイズの小室を形成させることができる。
【００３８】
また、パーティションの仕切壁本体には少なくとも１個の、略１／２の深さの係合凹部を設け、少なくとも２個のパーティションを、係合凹部を上下方向から十字状に係合させた状態で基本容器に嵌合装着すれば、検体の大きさに応じて着脱可能に所望の数の小室を容易に形成することができる。
【実施例】
【００３９】
以下、本発明の医療検査用カセットの実施例を図面に基づいて説明するが、本発明はこれらにより何等限定されるものではない。
【００４０】
実施例１
図１（ａ）、（ｂ）は、本発明の医療検査用カセットの上面図及び側面図、図２及び図３は、図１におけるそれぞれのＡ−Ａ断面図及びＢ−Ｂ断面図である。また、図４はカセットから蓋の部分を取り外して上から視たときのカセット本体の上面図、図５は、カセット本体内部に着脱自在に装着する仕切壁の正面図及びその側面図である。
【００４１】
図１（ａ）、（ｂ）〜図５に示したように、本発明の医療検査用カセットは、カセット本体１と蓋２とを具備してなり、カセット本体１は、上面を開放した方形の容器で、底部に多数の透孔３を有し、短辺側の一側壁の外側に底部に向かって末広がり状に傾斜した板状の記録部４を有し、その内側に係止溝５を有し、他の側壁の外側に係止部６を有する。
【００４２】
また、カセット本体１の上面に嵌合される蓋２は、着脱可能な板状体で、板面に多数の蓋透孔７を有し、短辺側の一方側には前記係止溝５の記録部４の裏面に沿って嵌入係合する傾斜状係止片９を有し、短辺側の他方側にはカセット本体１よりも僅かに大きめの突縁部１０を有し、係止部６と係合する係止片１１を有している。
【００４３】
さらに、カセット本体１が全く区画されていない状態の容積最大の基本容器を分割して小室を２室形成するために、カセット本体１の内周壁面の長辺側の中央に対向して設けられた２個の溝部１２に、仕切壁本体１３と両端の嵌合部１４とからなるパーティション１５が該嵌合部１４を嵌合することにより装着される。嵌合装着されたパーティション１５は、検体（図示せず）が左右の小室１６に入れられた後カセット本体１に被着する蓋２の下面に当接して固定される。
【００４４】
このように、本実施例による医療検査用カセットによれば、検体が大きい場合には、容積最大の基本容器のまま利用することができると共に、検体が小さい場合には、パーティション１５をカセット本体１に嵌合装着させて区画するように仕切り、同サイズの小室を２個形成したうえ、２個の検体（図示せず）を別々に収納することができる。
【００４５】
なお、以下の実施例においては、医療検査用カセットを構成する各要素のうちで、同一の構成要素についてはその説明を割愛し、それ以外の異なる内容について説明するものとする。
【００４６】
実施例２
実施例１では蓋の裏面の外周面に沿ってカセット本体内に嵌合するリブを有していない形態をについて説明したが、本実施例では該リブを備えた形態について説明する。図６は前述の図３に対応しており、蓋２の裏面の外周面に沿って、カセット本体１内に嵌合するリブ８が形成されている形態の断面図である。
図６、図７から明らかのように、このような形態の蓋２においては、パーティション１５の両端上部に切欠き部１７を設ければ、リブ８と干渉することなくパーティション１５をカセット本体に組み込むことが可能であり、以下の実施例においても同様である。
【００４７】
実施例３
実施例１では容積最大のパーティションのない基本容器を区画して小室を２個形成するために、カセット本体１の内周壁面の長辺側の中央に、対向した溝部１２を２個設けて実現したが、本実施例では、長辺側のどちらか一方に１個の溝部を設けて同様の小室を形成する場合について説明する。
【００４８】
図８、図９に示したように、この形態での仕切壁本体１３と一端に嵌合部１４、他端に板状体からなる支持部１８を有するパーティション１５は、一端部の嵌合部１４はそのまま溝部１２に嵌合され、他端部の支持部１８はカセット本体１に内接するように装着されている。この場合、例えば、図９に示すように、支持部１８を外方に弧状に反らせてスプリング機能を持たせることにより、この可撓性、弾発性によるスプリング機能によってパーティション１５は溝部１２に押しつけられ、パーティション１５の不用意な移動が一層効果的に防止される。
この実施例においても前述と同様に、パーティション１５は検体が左右の小室１６に入れられた後、被着する蓋２の下面に当接して固定される。
そして、検体が大きい場合には、パーティション１５を装着しない容積最大の容器のまま利用し、また検体が小さい場合には、パーティション１５によって仕切り、同サイズの小室を２個形成したうえ、２個の検体（図示せず）を別々に収納することができることは前述の場合と同様である。
【００４９】
実施例４
図１０、図１１（ａ）、（ｂ）に示した形態は、パーティションを装着しない容積最大の容器を４分割した場合である。本実施例のパーティションは、前述の実施例１の仕切壁本体１３の中央上部に、その高さの略１／２の深さの係合凹部１９を設けて組み付け型の第１パーティション２０とし、さらに、この係合凹部１９に直交して嵌合するように中央下部に係合凹部１９を設けた第２パーティション２１とから構成されている。
【００５０】
このように、本実施例はカセット本体１の内周面の上下に溝部１２を設けたことによって、パーティションを装着しない場合を容積最大の容器とし、またこれを２分割し、更に４分割して利用する３通りの使い方が、極めて容易に実現できることが特徴である。
【００５１】
実施例５
図１２に示したように、前述と同様、パーティションを装着しない容積最大の容器を４分割した形態である。本実施例はカセット本体１の短辺側の左右内面の中央にも溝部１２を設けたもので、その上で係合凹部１９を設けた組み付け型の第１パーティション２０と第２パーティション２１とを中央で直交した上、各溝部１２に嵌合させた形態である。
本実施例の場合は、第１パーティション２０と共に第２パーティション２１の先端も溝部１２によってしっかり固定される。
【００５２】
実施例６
前述の実施例までは小室の形状は全て矩形状として形成された形態について説明したが、矩形形状以外の形態について図１３に基ずいて説明する。
図示したように、カセット本体１の内周面の長辺側及び短辺側のそれぞれの中央に対向して２個ずつの溝部１２が設けられていることは、前述の実施例５の場合と同様であるが、ひし形状の枠体２１の４角にそれぞれ嵌合部１４を有するひし形状のパーティション２３が別途形成された上、カセット本体１の溝部１２に前記嵌合部１４を嵌合固定して利用するものである。
【００５３】
本実施例によれば、カセットの中央にはひし形状の比較的大きい小室１個が、またその周囲には略直角三角形状の比較的小さい小室４個が形成される。尚、ひし形形状は、図１３に破線で示したような円形形状やその他の幾何学的形状であってもよい。
【００５４】
実施例７
図１４に示したように、カセット本体１の内周面の長辺側（横）方向には、２分割する位置ｂ−ｂと、３分割する位置ａ−ａ、ｃ−ｃにそれぞれ対向して２個づつの溝部１２が設けられ、また、短辺側（縦）方向  には２分割する位置ｄ−ｄにも同じ溝部１２が設けられる。
【００５５】
これらの溝部１２にパーティションを嵌合しない場合は、基本容器としての最大の大きさで利用できる。また、ｂ−ｂの位置１箇所に第１パーティション１９を嵌合すれば、同一大きさの２個の小室が、ａ−ａ又はｃ−ｃの位置の１箇所に同パーティション１９を嵌合すれば、大小１個ずつの小室が、ａ−ａ及びｃ−ｃの位置の２箇所に同パーティション２０を嵌合すれば、同一大きさの３個の小室が形成され、さらに、ａ−ａ、ｂ−ｂ及びｃ−ｃの位置の３箇所に同パーティション２０を嵌合すれば、大小２個ずつの小室が形成され、そして、この状態において、ｄ−ｄの位置に第２パーティション２１を追加嵌合すれば、大小４個ずつの小室が形成される。以上、小室形成の代表として数例示したが、溝部１２の形成位置とその数を適宜定めることによって、大小様々の大きさの小室を選択的に形成することができる。
【００５６】
実施例８
図１５に示したように、カセット本体１の長辺側、短辺側をそれぞれ３分割する位置の２箇所ずつ、すなわちａ−ａ、ｃ−ｃ、ｅ−ｅ、ｆ−ｆの位置に、前述同様のパーティションが設けられている。この場合は合計９個の同一大きさの小室が形成される。また、例えばｅ−ｅの位置の第２パーティション２１を取り除けば比較的大きい小室が３個、比較的小さい小室が３個形成され、パーティションを増減することにより小室の数を増減することができる。
【００５７】
実施例９
図１６（ａ）、（ｂ）は、本発明の医療検査用カセットの上面図及び側面図、図１７及び図１８は、図１６におけるそれぞれのＡ−Ａ断面図及びＢ−Ｂ断面図である。また、図１９はカセットから蓋の部分を取り外して上から視たときのカセット本体の上面図、図２０（ａ）、（ｂ）は、カセット本体内部に着脱自在に装着するパーティションの上面図及び側面図である。
【００５８】
図１６（ａ）、（ｂ）〜図２０に示すように、本発明の医療検査用カセットは、カセット本体１と蓋２とを具備してなり、カセット本体１は、上面を開放した方形の容器で、底部に多数の透孔３を有し、短辺側の一側壁の外側に底部に向かって末広がり状に傾斜した板状の記録部４を有し、その内側に係止溝５を有し、他の側壁の外側に係止部６を有する。
【００５９】
また、カセット本体１の上面に嵌合される蓋２は、着脱可能な板状体で、板面に多数の蓋透孔７を有し、裏面の外周面に沿ってカセット本体１内に嵌合するリブ８を有し、短辺側の一方側には前記係止溝５の記録部４の裏面に沿って嵌入係合する傾斜状係止片９を有し、短辺側の他方側にはカセット本体１よりも僅かに大きめの突縁部１０を有し、係止部６と係合する係止片１１を有している。
【００６０】
さらに、カセット本体１が全く区画されていない状態の容積最大の基本容器を区画して複数の小室を形成するために、カセット本体１の内部に、仕切壁本体１３と少なくともその一端に（図面では両端）直角方向に延設された板状体からなる支持部１８とからなるパーティション１５が着脱自在に嵌合装着している。
【００６１】
仕切壁本体１３と支持部１８との接続する部分は支持部１８の方が高さがリブ８の分だけ低く、カセット本体１に蓋２を嵌合した際は、この段差部２４に、図１７で示した蓋２のリブ８が嵌合するので、運搬する際などにパーティションが上下に揺れ動くことはない。
【００６２】
また、仕切壁本体１３と支持部１８とのなす角を、波線で示すように、直角よりも僅かに（５度以下、好ましくは３度以下）広い鈍角とした支持部１８′とし、該支持部１８′を９０度ないしはそれ以下に曲げてカセット本体１にパーティション１４を嵌合装着させると、その弾性復元力によりパーティション１５はカセット本体内壁を押圧するので、より安定的に固定される（図１９）。
【００６３】
このように、本実施例による医療検査用カセットによれば、検体が大きい場合には、容積最大の基本容器のまま利用することができると共に、検体が小さい場合には、パーティション１５をカセット本体１に適宜嵌合装着させて区画するように仕切り、同サイズの小室を２個形成させたうえ、２個の検体（図示せず）を収納することができる。  
【００６４】
実施例１０
図２１は、本実施例のカセット本体の上面図、図２２（ａ）、（ｂ）は、カセット本体内部に着脱自在に装着するパーティションの上面図及び側面図である。なお、医療検査用カセットを構成する各要素の中、前述の実施例１と同一の構成要素についてはその説明を割愛し、それ以外の異なる内容について説明する。
【００６５】
図２１及び図２２（ａ）、（ｂ）に示したように、本実施例の医療検査用カセットは、パーティション１５の仕切壁本体１３と支持部１８とが上面視で変形Ｈ形鋼の形を形成している。この形態では、パーティション１５の仕切壁本体１３より高さの低い支持部１８が、カセット本体１に蓋２を嵌合した際、図１７で示した蓋２のリブ８と嵌合するので、前述と同様に、運搬する際などにパーティション１５が上下に揺れ動くことはない。
【００６６】
また、仕切壁本体１２を、図２１に示したように、左右どちらかに偏位させて事前にパーティション１５を形成しておけば、大小２個の小室１６を形成することができ、大小２個の検体を処理することができる。なお、仕切壁本体１３を偏芯させないで、中央に配設すれば、実施例９と同様に同サイズの小室１６が形成できることは当然である。尚、この場合も、仕切壁本体１３の両端に支持部１８を設けた場合を示したが、いずれかの支持部１８を省くこともできる。
【００６７】
実施例１１
図２３は、本実施例のカセット本体の上面図、図２４（ａ）、（ｂ）は、カセット本体内部に着脱自在に装着するパーティションの上面図及び側面図である。以下、前述の実施例と相違する点につき説明する。
【００６８】
図２３及び図２４（ａ）、（ｂ）に示したように、本実施例の形態も、実施例１０と略同様、パーティション１５の仕切壁本体１３と支持部１８とが上面視で変形Ｈ形鋼の形をしているが、実施例１０の場合には予め準備されたパーティション１５をカセット本体１内に嵌合させてからは、大小２個の小室のサイズ変更はできないのに対し、本実施例の場合には、パーティション１５の仕切壁本体１３の両端に直角方向に延設された支持部１８の長さは、カセット本体１の短辺側の内側寸法より短く形成されているので、パーティション１５を自由に摺動することが出来、これによって、２個形成される小室１６のサイズを同サイズから異サイズに調節可能となり、検体サイズへの対応自由度が一層拡大するというメリットが得られる。
【００６９】
なお、図２３では、パーティション１５の配設方向は、カセット本体１の長辺側と平行に嵌入装着しているが、パーティション１５の長さをカセット本体１の短辺側に合わせて短くしたうえで嵌合することもでき、このようにすれば、小室１６の形状、サイズを変えた構成が可能となる。
【００７０】
さらに、図２３に示すように、カセット本体１の内面を摺動する支持部１８を、波線で示すように、中心より外側方向に湾曲させた弧状の支持部１８′とし、該支持部１８′の両端がカセット本体１の内壁面に接触するように形成すれば、その弾性復元力により、パーティション１５の位置を調節する際の摺動をよりスムーズに出来、またその後の固定を確実にすることができる。
【００７１】
実施例１２
図２５は、本実施例のカセット本体の上面図、図２６（ａ）、（ｂ）は、係合凹部を有しカセット本体の長辺方向に着脱自在に装着される第２パーティションの上面図及び側面図、図２７（ａ）、（ｂ）は、第２パーティションに係合する係合凹部を有しカセット本体の短辺方向に着脱自在に装着する第１のパーティションの上面図及び側面図である。
【００７２】
パーティションとしての上記実施例１１の場合と相違する点は、第２パーティション２１には、端からその全長の１／３、２／３の位置の２箇所に係合凹部１９が設けられ、また、第１パーティション２０には、その中央の１箇所に係合凹部１９が設けられている点である。そして、これ以外の形状や作用の点については同一である。
【００７３】
図２５〜図２７に示すように、最初に、第２のパーティション２１をカセット本体１に嵌合装着させた後、係合凹部１９が相互に係合するように第１パーティション２０を係合装着すれば、略同サイズの６個の小室が形成される。図２６、図２７では仕切壁本体１３に設けられる係合凹部１９の数がそれぞれ２個、１個の場合を示したが、この係合凹部の設ける位置を変えたり、数を増減すれば小室の大きさ・形状を調節したり、小室の数を増減することも可能であり、その一例を次の実施例で説明する。
【００７４】
実施例１３
図２８は、本実施例のカセット本体の上面図である。図示したように、この形態では、第１のパーティション２０は前述の実施例１２の場合と同一であるが、第２のパーティション２１の仕切壁本体１３の中央にさらに係合凹部１９追加し、係合凹部１９を３箇所に設けている。これによって、第１パーティション２０をこの３箇所に係合することが可能となり、大きめのサイズの小室が４個、小さめの小室が４個設けられ、大小サイズの小室が総計８個形成される。
【００７５】
実施例１４
実施例９から１３までは、図１７に示したように、パーティションがカセット本体１に装着された後、蓋２の下部に設けられたリブ８が設けられていたが、本実施例では、この蓋２の下部にはリブを設けない場合のパーティションの形態について説明する。
【００７６】
図２９及び図３０は、実施例９において既に説明したカセットの図１７及び図１８の中心断面図と基本的なところについては同一であり、相違するところは、蓋２の下部にリブ８が設けられていない点、及びパーティションの形状・寸法の一部が変更になった点であり、この場合のパーティションの仕切壁本体１３と支持部１８の高さ寸法は、同一で上面には段差がなくフラットに形成される。
【００７７】
図２９〜図３２に示したように、３個の係合凹部１９が形成された仕切壁本体１３を有する第２のパーティション２１が、カセット本体１の長辺方向に装着され、続いて、仕切壁本体１３の中央に１個の係合凹部１９を有する第１のパーティション２０の３個が、前記第２パーティション２１と上下方向から十字状に互いの係合凹部１９が係合するように装着される。
【００７８】
この後、カセット本体１に蓋２を装着した場合には、図２９、図３０に示したように、蓋２の下面がパーティションの上面に対向している形態となる。これによって、図２８と同様に、大きめの小室、小さめの小室がそれぞれ４個づつ、総計８個の小室が形成される。
【００７９】
この構成によれば、蓋２の下部にリブが設けられていないので、また、仕切壁本体１３と支持部１８の高さが同一寸法なので、成形金型もシンプルな構造となり、蓋やパーティションが安価に成形できる。
【００８０】
実施例１５
図３３は本実施例のカセット本体の上面図で、パーティション１５は仕切壁本体１３の両端に三角形状の支持部１８が設けられてなり、カセット本体１の斜めに対向する角部に該支持部１８を嵌入させることにより三角形状の小室が２個形成されている。
【００８１】
実施例１６
図３４は本実施例のカセット本体の上面図で、パーティション１５は仕切壁本体１３の両端に波板状の支持部１８が設けられ、該波形状支持部１８の弾性変形を利用して、カセット本体１の略中央部に圧入され略同サイズの小室が２個形成されている。
【００８２】
実施例１７
図３５は本実施例のカセット本体の上面図で、パーティション１５は仕切壁本体１３の両端に楕円筒形状の支持部１８が設けられてなり、該楕円筒形状支持部１８の楕円筒形状の圧縮変形及び復元力を利用して、カセット本体１の略中央部に圧入され略同サイズの小室が２個形成されている。
【００８３】
実施例１８
図３６は本実施例のカセット本体の上面図で、パーティション１５は仕切壁本体１３の両端に三角形状の支持部１８が設けられ、該三角形状支持部１８の底面がカセット本体１の内壁に当接するようにカセット本体１の略中央部に圧入され、略同サイズの小室２個が形成されている。
【００８４】
上記実施例は、例えば蓋の短辺側に傾斜状係止片９を有するカセットについて説明したが、かかる構造のカセットに限定されず、カセット本体内にパーティションを有するカセット全てに適用されることは勿論である。
【産業上の利用可能性】
【００８５】
叙上のように、本発明の医療検査用カセットによれば下記の如き多くの特徴及び利点を有する。
【００８６】
本発明の医療検査用カセットは、内部に仕切りの無い状態を基本容器とし、ここに仕切壁本体とその端部に嵌合部を有するパーティション、又は仕切壁本体とその端部に延設された支持部とからなるパーティションを装着することによって、形・大きさ及び個数の異なる種々の検体に対応して小室を着脱自在に形成することができ、且つカセットは一種類で対応できるので、その生産や在庫管理を容易にするとともに、運搬や保管のためのスペースを最小限にして、コストを低減することが可能となる。
【００８７】
本発明の医療検査用カセットはパラフィンブロック作製の工程において、パラフィンの透過を妨げるパーティションを取り外して実施できるので、注ぎ足しの作業効率が高められる。更に、得られたパラフィンブロックを収納ケース内に並べる場合に、パーティションを取り外すことにより、カセットブロックの一部がカセット本体内に重なり合うのでパーティションの厚みだけスペースを小さくでき、その結果、パラフィンブロックの収納効率が高められる。
【図面の簡単な説明】
【００８８】
【図１】（ａ）本発明の実施例１における医療検査用カセットの上面図である。（ｂ）同カセットの側面図である。
【図２】同カセットの図１におけるＡ−Ａ断面図である。
【図３】同カセットの図１におけるＢ−Ｂ断面図である。
【図４】同カセットから蓋の部分を取り外し、上から視たときのカセット本体と仕切壁との関係を示す上面図である。
【図５】同カセットの本体内部に着脱自在に装着する仕切壁の正面図及び側面図である。
【図６】本発明の実施例２における医療検査用カセットの蓋の下面にリブある場合の断面図である。
【図７】同カセットの本体内部に着脱自在に装着する仕切壁の正面図及び側面図である。
【図８】本発明の実施例３における医療検査用カセットの蓋の部分を取り外し、上から視たときのカセット本体と仕切壁との関係を示す上面図である。
【図９】同カセットの本体内部に着脱自在に装着する仕切壁の上面図及び側面図である。
【図１０】本発明の実施例４における医療検査用カセットの蓋の部分を取り外し、上から視たときのカセット本体と仕切壁との関係を示す上面図である。
【図１１】（ａ）同カセットの本体内部に着脱自在に装着する縦仕切壁の正面図及び側面図である。（ｂ）同縦仕切壁に十字状に交叉してなる横仕切壁の正面及び側面図である。
【図１２】本発明の実施例５における医療検査用カセットの蓋の部分を取り外し、上から視たときのカセット本体と仕切壁との関係を示す上面図である。
【図１３】本発明の実施例６における医療検査用カセットの蓋の部分を取り外し、上から視たときのカセット本体と仕切壁との関係を示す上面図である。
【図１４】本発明の実施例７における医療検査用カセットの蓋の部分を取り外し、上から視たときのカセット本体と仕切壁との関係を示す上面図である。
【図１５】本発明の実施例８における医療検査用カセットの蓋の部分を取り外し、上から視たときのカセット本体と仕切壁との関係を示す上面図である。
【図１６】（ａ）本発明の実施例９における医療検査用カセットの上面図である。（ｂ）同カセットの側面図である。
【図１７】同カセットの図１６におけるＡ−Ａ断面図である。
【図１８】同カセットの図１６におけるＢ−Ｂ断面図である。
【図１９】同カセットから蓋の部分を取り外し、上から視たときのカセット本体とパーティションの関係を示す上面図である。
【図２０】同カセットの本体内部に着脱自在に装着するパーティションを示し、（ａ）は上面図、（ｂ）は側面図である。
【図２１】本発明の実施例１０における医療検査用カセットの蓋の部分を取り外し、上から視たときのカセット本体とパーティションの関係を示す上面図である。
【図２２】同カセットの本体内部に着脱自在に装着するパーティションを示し、（ａ）は上面図、（ｂ）は側面図である。
【図２３】本発明の実施例１１における医療検査用カセットの蓋の部分を取り外し、上から視たときのカセット本体とパーティションの関係を示す上面図である。
【図２４】同カセットの本体内部に着脱自在に装着するパーティションを示し、（ａ）は上面図、（ｂ）は側面図である。
【図２５】本発明の実施例１２における医療検査用カセットの蓋の部分を取り外し、上から視たときのカセット本体とパーティションの関係を示す上面図である。
【図２６】同カセットの本体内部に着脱自在に装着する第２パーティションを示し、（ａ）は上面図、（ｂ）は側面図である。
【図２７】同カセットの本体内部に着脱自在に装着する第１パーティションを示し、（ａ）は上面図、（ｂ）は側面図である。
【図２８】本発明の実施例１３における医療検査用カセットの蓋の部分を取り外し、上から視たときのカセット本体とパーティションの関係を示す上面図である。
【図２９】本発明の実施例１４における医療検査用カセットの長辺方向を視た中心側断面図である。
【図３０】同医療検査用カセットの短辺方向を視た中心側断面図である。
【図３１】同カセットの本体内部に着脱自在に装着する第２パーティションを示し、（ａ）は上面図、（ｂ）は側面図である。
【図３２】同カセットの本体内部に着脱自在に装着する第１パーティションで、（ａ）は上面図、（ｂ）は側面図である。
【図３３】本発明の実施例１５における医療検査用カセットの上面図である。
【図３４】本発明の実施例１６における医療検査用カセットの上面図である。
【図３５】本発明の実施例１７における医療検査用カセットの上面図である。
【図３６】本発明の実施例１８における医療検査用カセットの上面図である。
【図３７】従来の医療検査用カセットの構成を示す断面図である。
【図３８】同カセットから蓋を取り外した状態のカセット本体の上面図である。
【符号の説明】
【００８９】
１  カセット本体
２  蓋
３  透孔
４  記録部
５  係止溝
６  係止部
７  蓋透孔
８  リブ
９  傾斜状係止片
１０  突縁部
１１  係止片
１２  溝部
１３  仕切壁本体
１４  嵌合部
１５  パーティション
１６  小室
１７  切欠き部
１８  支持部
１９  係合凹部
２０  第１パーティション
２１  第２パーティション
２２  枠体
２３  ひし形状のパーティション
２４  段差部
２５  仕切壁
２６  小室
【図１】
2005010135.tif 000003
【図２】
2005010135.tif 000004
【図３】
2005010135.tif 000005
【図４】
2005010135.tif 000006
【図５】
2005010135.tif 000007
【図６】
2005010135.tif 000008
【図７】
2005010135.tif 000009
【図８】
2005010135.tif 000010
【図９】
2005010135.tif 000011
【図１０】
2005010135.tif 000012
【図１１】
2005010135.tif 000013
【図１２】
2005010135.tif 000014
【図１３】
2005010135.tif 000015
【図１４】
2005010135.tif 000016
【図１５】
2005010135.tif 000017
【図１６】
2005010135.tif 000018
【図１７】
2005010135.tif 000019
【図１８】
2005010135.tif 000020
【図１９】
2005010135.tif 000021
【図２０】
2005010135.tif 000022
【図２１】
2005010135.tif 000023
【図２２】
2005010135.tif 000024
【図２３】
2005010135.tif 000025
【図２４】
2005010135.tif 000026
【図２５】
2005010135.tif 000027
【図２６】
2005010135.tif 000028
【図２７】
2005010135.tif 000029
【図２８】
2005010135.tif 000030
【図２９】
2005010135.tif 000031
【図３０】
2005010135.tif 000032
【図３１】
2005010135.tif 000033
【図３２】
2005010135.tif 000034
【図３３】
2005010135.tif 000035
【図３４】
2005010135.tif 000036
【図３５】
2005010135.tif 000037
【図３６】
2005010135.tif 000038
【図３７】
2005010135.tif 000039
【図３８】
2005010135.tif 000040